Podtech/llm-jp-corpus-v4-ja_patent huggingface dataset:
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
ＡＸＬ膜貫通ドメインを欠き、野生型ＡＸＬ配列と比べて少なくとも１つのアミノ酸修飾を含み、前記変更がＧＡＳ６への前記ＡＸＬポリペプチドの結合の親和性を増加させるものである、可溶性ＡＸＬ変異体ポリペプチド。
【請求項２】
野生型ＡＸＬポリペプチド（配列番号：１）のアミノ酸領域１９−４３７、１３０−４３７、１９−１３２、２１−１２１、２６−１３２、２６−１２１及び１−４３７から成る群より選択される少なくとも１つのアミノ酸領域を含み、かつ、１つ以上のアミノ酸修飾が前記アミノ酸領域において生ずるものである、請求項１に記載の可溶性ＡＸＬ変異体ポリペプチド。
【請求項３】
野生型ＡＸＬ配列（配列番号：１）の位置１９、２３、２６、２７、３２、３３、３８、４４、６１、６５、７２、７４、７８、７９、８６、８７、８８、９０、９２、９７、９８、１０５、１０９、１１２、１１３、１１６、１１８若しくは１２７又はそれらの組み合わせにおける少なくとも１つのアミノ酸修飾を含む、請求項１に記載の可溶性ＡＸＬ変異体ポリペプチド。
【請求項４】
野生型ＡＸＬ配列（配列番号：１）と比べて次の位置：（ａ）グリシン３２；（ｂ）アスパラギン酸８７；（ｃ）バリン９２；及び（ｄ）グリシン１２７におけるアミノ酸変更を含むものであるか、又は、野生型ＡＸＬ配列（配列番号：１）と比べて次の位置：（ａ）グルタミン酸２６；（ｂ）バリン７９；（ｃ）バリン９２；及び（ｄ）グリシン１２７におけるアミノ酸変更を含むものである、請求項１に記載の可溶性ＡＸＬ変異体ポリペプチド。
【請求項５】
以下の群：
１）Ｇｌｙ３２Ｓｅｒ，Ａｓｐ８７Ｇｌｙ，Ｖａｌ９２Ａｌａ，及びＧｌｙ１２７Ａｒｇ，２）Ｇｌｕ２６Ｇｌｙ，Ｖａｌ７９Ｍｅｔ，Ｖａｌ９２Ａｌａ，及びＧｌｙ１２７Ｇｌｕ，３）Ａｓｎ３３Ｓｅｒ，Ｓｅｒ７４Ａｓｎ，Ａｓｐ８７Ｇｌｙ，及びＶａｌ９２Ａｌａ，４）Ａｌａ７２Ｖａｌ，Ｉｌｅ９７Ａｒｇ，及びＨｉｓ１１６Ａｒｇ，
５）Ｇｌｎ７８Ｇｌｕ，
６）Ａｌａ７２Ｖａｌ，
７）Ｇｌｎ８６Ａｒｇ，Ｉｌｅ９０Ｖａｌ，及びＶａｌ９２Ａｌａ，
８）Ａｌａ７２Ｖａｌ，及びＶａｌ９２Ａｓｐ，
９）Ａｓｐ６５Ａｓｎ，及びＡｓｐ８７Ｇｌｙ，
１０）Ａｓｐ８７Ｇｌｙ，及びＶａｌ９２Ａｌａ，
１１）Ｇｌｕ２７Ｌｙｓ，Ｈｉｓ６１Ｔｙｒ，Ａｌａ７２Ｖａｌ，Ａｓｐ８８Ａｓｎ，Ｖａｌ９２Ａｌａ，及びＴｈｒ９８Ａｌａ，
１２）Ｖａｌ９２Ａｌａ，Ｇｌｎ１０９Ａｒｇ，
１３）Ｔｈｒ４４Ａｌａ，Ａｌａ７２Ｖａｌ，Ｉｌｅ９０Ｖａｌ，Ｔｈｒ１０５Ｍｅｔ，及びＧｌｕ１２９Ｌｙｓ，
１４）Ｖａｌ９２Ｇｌｙ，
１５）Ｖａｌ９２Ａｌａ，Ｖａｌ１１２Ａｌａ，Ｐｈｅ１１３Ｌｅｕ，及びＴｈｒ１１８Ａｌａ，
１６）Ｖａｌ９２Ａｌａ，及びＴｈｒ９８Ｐｒｏ，
１７）Ｇｌｕ２７Ｇｌｙ，及びＡｓｐ８７Ｇｌｙ，
１８）Ｔｈｒ３８Ｉｌｅ，及びＶａｌ９２Ａｌａ，
１９）Ａｓｐ８７Ｇｌｙ，
２０）Ｔｈｒ２３Ｍｅｔ，及びＶａｌ９２Ａｌａ，
２１）Ａｌａ７２Ｖａｌ，及びＰｈｅ１１３Ｌｅｕ，
２２）Ｇｌｎ８６Ａｒｇ，Ｖａｌ９２Ａｌａ，
２３）Ａｌａ１９Ｔｈｒ，Ｇｌｕ２６Ｇｌｙ，Ｇｌｕ２７Ｇｌｙ，及びＶａｌ９２Ａｌａ，
２４）Ｉｌｅ９０Ｍｅｔ，及びＶａｌ９２Ａｌａ，
２５）Ｇｌｙ３２Ｓｅｒ，及びＡｓｐ８７Ｇｌｙ，
２６）Ｇｌｙ３２Ｓｅｒ，及びＶａｌ９２Ａｌａ，
２７）Ｇｌｙ３２Ｓｅｒ，及びＧｌｙ１２７Ａｒｇ，
２８）Ａｓｐ８７Ｇｌｙ，及びＧｌｙ１２７Ａｒｇ，
２９）Ｖａｌ９２Ａｌａ，及びＧｌｙ１２７Ａｒｇ，
３０）Ａｓｐ８７Ｇｌｙ，Ｖａｌ９２Ａｌａ，及びＧｌｙ１２７Ａｒｇ，
３１）Ｇｌｙ３２Ｓｅｒ，Ｖａｌ９２Ａｌａ，及びＧｌｙ１２７Ａｒｇ，
３２）Ｇｌｙ３２Ｓｅｒ，Ａｓｐ８７Ｇｌｙ，及びＧｌｙ１２７Ａｒｇ，
３３）Ｇｌｙ３２Ｓｅｒ，Ａｓｐ８７Ｇｌｙ，及びＶａｌ９２Ａｌａ，並びに
３４）Ｇｌｙ３２Ｓｅｒ，Ａｌａ７２Ｖａｌ，Ａｓｐ８７Ｇｌｙ，Ｖａｌ９２Ａｌａ，及びＧｌｙ１２７Ａｒｇ，
から選択される野生型ＡＸＬ配列（配列番号：１）の一組のアミノ酸修飾を有する、請求項１に記載の可溶性ＡＸＬ変異体ポリペプチド。
【請求項６】
野生型ＡＸＬ配列（配列番号：１）の位置３２、７２、８７、９２又は１２７又はそれらの組み合わせにおけるアミノ酸修飾を有し、ＧＡＳ６に対する野生型ＡＸＬの結合親和性と同じかそれよりも高い結合親和性でＧＡＳ６に結合する、請求項１に記載の可溶性ＡＸＬ変異体ポリペプチド。
【請求項７】
Ｆｃドメインを含む融合タンパク質である、請求項１に記載の可溶性ＡＸＬ変異体ポリペプチド。
【請求項８】
ＧＡＳ６に対して少なくとも約１×１０−８Ｍ又は１×１０−９Ｍの親和性を有する、請求項１に記載の可溶性ＡＸＬ変異体ポリペプチド。
【請求項９】
ＧＡＳ６タンパク質に特異的に結合する、単離された抗体又はその断片。
【請求項１０】
Ｒ２９９−Ｔ３１７、Ｖ３６４−Ｐ３７２、Ｒ３８９−Ｎ３９６、Ｄ３９８−Ａ４０６、Ｅ４１３−Ｈ４２９及びＷ４５０−Ｍ４６８から成る群より選択されるＧＡＳ６の１つ以上のアミノ酸領域に含まれるエピトープに結合するものである、請求項９に記載の単離された抗体又はその断片。
【請求項１１】
ＲＭＦＳＧＴＰＶＩＲＬＲＦＫＲＬＱＰＴ（配列番号：３）、ＶＧＲＶＴＳＳＧＰ（配列番号：４）、ＲＮＬＶＩＫＶＮ（配列番号：５）、ＤＡＶＭＫＩＡＶＡ（配列番号：６）、ＥＲＧＬＹＨＬＮＬＴＶＧＧＩＰＦＨ（配列番号：７）及びＷＬＮＧＥＤＴＴＩＱＥＴＶＫＶＮＴＲＭ（配列番号：８）から成る群より選択されるアミノ酸領域に含まれるエピトープに結合するものである、請求項９に記載の単離された抗体又はその断片。
【請求項１２】
治療有効量の請求項１から８のいずれか一項に記載の１つ以上の可溶性ＡＸＬ変異体ポリペプチド又は請求項９から１１のいずれか一項に記載の抗体又はその断片、又は医薬的に許容され得るそれらの塩を含む、医薬組成物。
【請求項１３】
少なくとも１つの細胞傷害剤若しくは医薬的に許容され得る賦形剤又はそれらの組み合わせをさらに含む、請求項１２に記載の医薬組成物。
【請求項１４】
哺乳動物患者における腫瘍の転移又は浸潤を処置、低減又は予防する方法に使用するための、請求項１から８のいずれか一項に記載の可溶性ＡＸＬ変異体ポリペプチド、請求項９から１１のいずれか一項に記載の抗体又はその断片、又は請求項１２又は１３に記載の組成物。
【請求項１５】
被験体において転移又は浸潤を起こす腫瘍の能力を判定する方法であって、
腫瘍を有する被験体からの生体試料におけるＡＸＬ又はＧＡＳ６活性のレベルを検出すること、及び
前記生体試料におけるＡＸＬ又はＧＡＳ６活性のレベルを所定レベルと比較すること
を含み；
前記所定レベルに比しての増加が腫瘍の浸潤又は転移素質を示す
ものである方法。
【請求項１６】
前記ＡＸＬ又はＧＡＳ６活性レベルは、ＡＸＬ又はＧＡＳ６のｍＲＮＡ発現のレベル又はＡＸＬ又はＧＡＳ６タンパク質発現のレベルによって測定される、請求項１５に記載の方法。
【請求項１７】
前記腫瘍は、卵巣腫瘍、乳房腫瘍、肺腫瘍、肝臓腫瘍、結腸腫瘍、胆嚢腫瘍、膵臓腫瘍、前立腺腫瘍及び膠芽腫から成る群より選択される腫瘍である、請求項１４に記載のポリペプチド又は抗体、もしくは請求項１５に記載の方法。
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
４-ブロモ-５-（２-イミダゾリン-２-イルアミノ）ベンズイミダゾールまたはその塩を含む、患者の患眼に単一用量として局所的に投与することにより患眼が少なくとも8時間、ベースライン眼圧よりも低い眼圧を維持するように眼圧を低下させる為の医薬組成物。
【請求項２】
患眼が少なくとも１０時間、ベースライン眼圧よりも低い眼圧を維持する、請求項１記載の医薬組成物。
【請求項３】
患眼が少なくとも１２時間、ベースライン眼圧よりも低い眼圧を維持する、請求項１記載の医薬組成物。
【請求項４】
前記組成物が０．０１〜５重量％の４-ブロモ-５-（２-イミダゾリン-２-イルアミノ）ベンズイミダゾールまたはその塩を含む、請求項１記載の医薬組成物。
【請求項５】
前記組成物が０．１５〜１重量％の４-ブロモ-５-（２-イミダゾリン-２-イルアミノ）ベンズイミダゾールまたはその塩を含む、請求項１記載の医薬組成物。
【請求項６】
前記組成物がさらに０．００１〜１重量％の保存料を含む、請求項１記載の医薬組成物。
【請求項７】
前記組成物がさらに０．０１〜０．５重量％の保存料を含む、請求項１記載の医薬組成物。
【請求項８】
前記組成物がさらに０．００１〜０．０１重量％の保存料を含む、請求項１記載の医薬組成物。
【請求項９】
前記組成物がさらに０．０１〜１重量％の補助溶媒を含む、請求項１記載の医薬組成物。
【請求項１０】
前記組成物がさらに０．０１〜２重量％の増粘剤を含む、請求項１記載の医薬組成物。
【請求項１１】
４-ブロモ-５-（２-イミダゾリン-２-イルアミノ）ベンズイミダゾールが投与後、全身循環中に検出不能である、請求項１記載の医薬組成物。
【請求項１２】
４-ブロモ-５-（２-イミダゾリン-２-イルアミノ）ベンズイミダゾールが少なくとも１０時間、眼房水に維持される、請求項７記載の医薬組成物。
【請求項１３】
４-ブロモ-５-（２-イミダゾリン-２-イルアミノ）ベンズイミダゾールまたはその塩を含む、患者の患眼に１日に１回または２回、局所的に投与することにより、患眼が１日中、ベースライン眼圧よりも低い眼圧を維持するように患者の眼圧を低下させる為の医薬組成物。
【請求項１４】
１日に１回投与される、請求項３記載の医薬組成物。
【請求項１５】
包装資材および前記包装資材内に含まれる医薬品を含む製造物品であって、医薬品が眼圧の低下に治療上有効であり、包装資材に医薬品が眼圧を低下させるために使用出来ることを示すラベルが含まれ、前記医薬品が有効な量の４-ブロモ-５-（２-イミダゾリン-２-イルアミノ）ベンズイミダゾールを含む製造物品。
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
抗原性ポリペプチドおよびHMGB1ポリペプチドまたはその機能的フラグメントを含むワクチンベクターであって、抗原性ポリペプチドの少なくとも一部分およびHMGB1ポリペプチドの少なくとも一部分が前記ワクチンベクターの表面に存在する、前記ワクチンベクター。
【請求項２】
抗原性ポリペプチドがインフルエンザ特異的ポリペプチドである、請求項1に記載のワクチンベクター。
【請求項３】
抗原性ポリペプチドがM2e、HAまたはNPインフルエンザポリペプチドである、請求項2に記載のワクチンベクター。
【請求項４】
抗原性ポリペプチドが、配列番号：1、配列番号：2、配列番号：3、配列番号：4、配列番号：5、配列番号：6、配列番号：1の免疫原性フラグメント、配列番号：2の免疫原性フラグメント、配列番号：3の免疫原性フラグメントおよび配列番号：4の免疫原性フラグメント、配列番号：7、配列番号：8、配列番号：9、配列番号：10、配列番号：7の免疫原性フラグメント、配列番号：8の免疫原性フラグメント、配列番号：9の免疫原性フラグメントおよび配列番号：10の免疫原性フラグメントから成る群から選択される、請求項3に記載のワクチンベクター。
【請求項５】
HMGB1ポリペプチドが、配列番号：18、配列番号：29、配列番号：30、配列番号：18の機能的フラグメント、配列番号：29の機能的フラグメント、配列番号：30の機能的フラグメント、配列番号：25、配列番号：26、配列番号：27、配列番号：28および前記のホモローグから選択される、請求項1−4のいずれかに記載のワクチンベクター。
【請求項６】
ワクチンベクターが細菌である、請求項1−5のいずれかに記載のワクチンベクター。
【請求項７】
細菌がバシルス種（Bacillus spp.）である、請求項6に記載のワクチンベクター。
【請求項８】
抗原性ポリペプチドおよび／またはHMGB1ポリペプチドがトランスメンブレンタンパク質の外部ループ内にコードされる、請求項1−7のいずれかに記載のワクチンベクター。
【請求項９】
トランスメンブレンタンパク質がcotBである、請求項8に記載のワクチンベクター。
【請求項１０】
抗原性ポリペプチドおよびHMGB1ポリペプチドが融合タンパク質の部分である、請求項1−9のいずれかに記載のワクチンベクター。
【請求項１１】
請求項1−10のいずれかに記載のワクチンベクターおよび医薬的に許容できる担体を含む組成物。
【請求項１２】
医薬的に許容できる担体が経口投与または鼻投与用に許容できる、請求項11に記載の組成物。
【請求項１３】
ワクチンベクターが複製する能力をもたない、不活化されている、または、殺滅されている請求項11または12に記載の組成物。
【請求項１４】
非ヒト対象動物において免疫応答を増強する方法であって、前記方法が、請求項1−10のいずれかに記載のワクチンベクターまたは請求項11−13のいずれかに記載の組成物を、抗原性ポリペプチドに対する前記対象動物の免疫応答を増強するために有効な量で投与する工程を含む、前記方法。
【請求項１５】
ワクチンベクターが経口的にまたは鼻内に投与される、請求項14に記載の方法。
【請求項１６】
免疫応答が抗原性ポリペプチドに対するIgA抗体応答である、請求項15に記載の方法。
【請求項１７】
ワクチンベクターの表面に存在する抗原性ポリペプチドをコードする第一のポリヌクレオチド配列、および免疫刺激性ポリペプチドをコードする第二のポリヌクレオチドを含むバシルス種ワクチンベクターであって、前記抗原性ポリペプチドおよび前記免疫刺激性ポリペプチドがワクチンベクターの表面に存在し、抗原性ポリペプチドがインフルエンザポリペプチドであり、免疫刺激性ポリペプチドがHMGB1ポリペプチドである、前記ワクチンベクター。
【請求項１８】
第一のポリヌクレオチドおよび第二のポリヌクレオチドが、トランスメンブレンタンパク質の外部部分をコードする第三のポリヌクレオチド配列内に挿入される、請求項17に記載のワクチンベクター。
【請求項１９】
トランスメンブレンタンパク質がcotBである、請求項18に記載のワクチンベクター。
【請求項２０】
抗原性ポリペプチドがインフルエンザM2eポリペプチド、インフルエンザHAポリペプチドまたはインフルエンザNPポリペプチドである、請求項17−19のいずれかに記載のワクチンベクター。
【請求項２１】
抗原性ポリペプチドが、配列番号：1、配列番号：2、配列番号：3、配列番号：4、配列番号：5、配列番号：6、配列番号：1の免疫原性フラグメント、配列番号：2の免疫原性フラグメント、配列番号：3の免疫原性フラグメントおよび配列番号：4の免疫原性フラグメント、配列番号：7、配列番号：8、配列番号：9および配列番号：10から成る群から選択される、請求項20に記載のワクチンベクター。
【請求項２２】
HMGB1ポリペプチドが、配列番号：18、配列番号：29、配列番号：30、配列番号：18の機能的フラグメント、配列番号：29の機能的フラグメント、配列番号：30の機能的フラグメント、配列番号：25、配列番号：26、配列番号：27、配列番号：28および前記のホモローグから選択される、請求項17−21のいずれかに記載のワクチンベクター。
【請求項２３】
非ヒト対象動物において免疫応答を増強する方法であって、請求項17−22のいずれかに記載のバシルス種ワクチンベクターを前記対象動物の免疫応答の増強に有効な量で対象動物に投与する工程を含む、前記方法。
【請求項２４】
ワクチンベクターが経口的にまたは鼻内に投与される、請求項23に記載の方法。
【請求項２５】
免疫応答が抗原性ポリペプチドに対するIgA抗体応答である、請求項24に記載の方法。
【請求項２６】
ワクチンベクターが対象動物において複製する能力をもたない、または、対象動物への投与に先だって不活化または殺滅されてる、請求項22−25のいずれかに記載の方法。
【請求項２７】
インフルエンザAに関連する病的状態を非ヒト対象動物において緩和する方法であって、前記方法が、請求項2−10または17−22のいずれかに記載のワクチンベクターまたは請求項11−13のいずれかに記載の組成物をインフルエンザAに関連する病的状態の緩和に有効な量で前記対象動物に投与する工程を含む、前記方法。
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
芳香族カチオン性ペプチドであって、
Ｄ−Ａｒｇ−Ｄｍｔ−Ｌｙｓ−Ｔｒｐ−ＮＨ2；
Ｄ−Ａｒｇ−Ｔｒｐ−Ｌｙｓ−Ｔｒｐ−ＮＨ2；
Ｄ−Ａｒｇ−Ｄｍｔ−Ｌｙｓ−Ｐｈｅ−Ｍｅｔ−ＮＨ2；
Ｈ−Ｄ−Ａｒｇ−Ｄｍｔ−Ｌｙｓ（ＮαＭｅ）−Ｐｈｅ−ＮＨ2；
Ｈ−Ｄ−  Ａｒｇ−Ｄｍｔ−Ｌｙｓ−Ｐｈｅ（ＮＭｅ）−ＮＨ2；
Ｈ−Ｄ−Ａｒｇ−Ｄｍｔ−Ｌｙｓ（ＮαＭｅ）−Ｐｈｅ（ＮＭｅ）−ＮＨ2；
Ｈ−Ｄ−Ａｒｇ（ＮαＭｅ）−Ｄｍｔ（ＮＭｅ）−Ｌｙｓ（ＮαＭｅ）−Ｐｈｅ（ＮＭｅ）−ＮＨ2；
Ｄ−Ａｒｇ−Ｄｍｔ−Ｌｙｓ−Ｐｈｅ−Ｌｙｓ−Ｔｒｐ−ＮＨ2；
Ｄ−Ａｒｇ−Ｄｍｔ−Ｌｙｓ−Ｄｍｔ−Ｌｙｓ−Ｔｒｐ−ＮＨ2；
Ｄ−Ａｒｇ−Ｄｍｔ−Ｌｙｓ−Ｐｈｅ−Ｌｙｓ−Ｍｅｔ−ＮＨ2；
Ｄ−Ａｒｇ−Ｄｍｔ−Ｌｙｓ−Ｄｍｔ−Ｌｙｓ−Ｍｅｔ−ＮＨ2；
Ｈ−Ｄ−Ａｒｇ−Ｄｍｔ−Ｌｙｓ−Ｐｈｅ−Ｓａｒ−Ｇｌｙ−Ｃｙｓ−ＮＨ2；
Ｈ−Ｄ−Ａｒｇ−Ψ［ＣＨ2−ＮＨ］Ｄｍｔ−Ｌｙｓ−Ｐｈｅ−ＮＨ2；
Ｈ−Ｄ−Ａｒｇ−Ｄｍｔ−Ψ［ＣＨ2−ＮＨ］Ｌｙｓ−Ｐｈｅ−ＮＨ2；
Ｈ−Ｄ−Ａｒｇ−Ｄｍｔ−ＬｙｓΨ［ＣＨ2−ＮＨ］Ｐｈｅ−ＮＨ2；および
Ｈ−Ｄ−Ａｒｇ−Ｄｍｔ−Ψ［ＣＨ2−ＮＨ］Ｌｙｓ−Ψ［ＣＨ2−ＮＨ］Ｐｈｅ−ＮＨ2からなる群から選択される、芳香族カチオン性ペプチド。
【請求項２】
請求項１の芳香族カチオン性ペプチドと、その薬学的に許容される塩とを含む、医薬組成物。
【請求項３】
薬学的に許容される担体をさらに含む、請求項２の医薬組成物。
【請求項４】
酸化的損傷の削減を必要とする哺乳動物で酸化的損傷を削減するための医薬の製造における、有効量の１つ以上の請求項１の芳香族カチオン性ペプチドの使用。
【請求項５】
ミトコンドリア透過性遷移（ＭＰＴ）の数を減らす、またはミトコンドリア透過性遷移を妨げることを必要とする哺乳動物で、該ミトコンドリア透過性遷移（ＭＰＴ）の数を減らすまたは該ミトコンドリア透過性遷移を妨げるための医薬の製造における、有効量の１つ以上の請求項１の芳香族カチオン性ペプチドの使用。
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
抗菌剤であって、
（ａ）水；
（ｂ）低分子量アルコール；
（ｃ）過酸化物または過酸化物生成剤；および
（ｄ）キレート剤
を含む抗菌剤。
【請求項２】
前記アルコールがエタノールを含む、請求項１記載の薬剤。
【請求項３】
前記アルコールが前記薬剤中、約１容積％〜約９５容積％の濃度で存在する、請求項１記載の薬剤。
【請求項４】
前記アルコールの濃度が約２０容積％〜約６０容積％である、請求項３記載の薬剤。
【請求項５】
前記アルコールの濃度が約５０容積％である、請求項４記載の薬剤。
【請求項６】
前記キレート剤が、エチレンジアミン四酢酸（ＥＤＴＡ）およびその酸類ならびにその塩を含む、請求項１記載の薬剤。
【請求項７】
前記ＥＤＴＡが、約５ｍｇ／ｍＬ〜約５０ｍｇ／ｍＬの濃度で存在する、請求項６記載の薬剤。
【請求項８】
前記ＥＤＴＡが約１０ｍｇ／ｍＬの濃度で存在する、請求項７記載の薬剤。
【請求項９】
前記過酸化物または過酸化物生成剤が過酸化水素（Ｈ2Ｏ2）を含む、請求項１記載の薬剤。
【請求項１０】
前記Ｈ2Ｏ2が、約０．０５容積％〜約４０容積％の濃度で存在する、請求項９記載の薬剤。
【請求項１１】
前記Ｈ2Ｏ2が、約０．０５容積％〜約１０容積％の濃度で存在する、請求項１０記載の薬剤。
【請求項１２】
前記Ｈ2Ｏ2が約１．５容積％の濃度で存在する、請求項１１記載の薬剤。
【請求項１３】
粘度増加剤をさらに含む、請求項１記載の薬剤。
【請求項１４】
前記粘度増加剤が、ヒドロキシプロピルメチルセルロース（ＨＰＭＣ）を含む、請求項１３記載の薬剤。
【請求項１５】
前記薬剤が、微生物成長、微生物感染、炎症性疾患、ウイルス性疾患あるいは微生物成長もしくは感染に起因するかまたは関連する状態の軽減または阻害に有用である、請求項１〜１４のいずれか１項に記載の薬剤。
【請求項１６】
前記薬剤が、微生物成長、微生物感染、炎症性疾患、ウイルス性疾患あるいは微生物成長もしくは感染に起因するかまたは関連する状態の処置に有用である、請求項１〜１４のいずれか１項に記載の薬剤。
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
原料Ｅを蒸発器中で蒸発させ、蒸発した該原料Ｅを反応器Ｃに移し、該反応器Ｃ中で、該原料Ｅが蒸気相中で分解又は反応下にそれ自体とか又は少なくとも１の他の原料Ｅ２と反応することによる、有機化合物の製造法において、該蒸発器が実質的に容器であり、かつ該容器中に加熱管ＨＲを有しており、該加熱管ＨＲは、有利には相互にかつ該蒸発器の縦軸に対して平行に延在しており、その際、該容器は有利には１つの室Ｒのみからなっており、その際さらに、
ａ）該室Ｒに対する該加熱管ＨＲの外部面積が少なくとも３００ｍ2／ｍ3であり、
ｂ）該室Ｒの水力直径が０．０３〜１ｍであり、
ｃ）該室が０．２〜５ｍの長さを有している
ことを特徴とする方法。
【請求項２】
蒸発器中で液体のホルムアミドを蒸発させ、これを引き続き反応器Ｒ内で接触脱水させる、請求項１記載の方法。
【請求項３】
ホルムアミドを少なくとも６００ミリバールでかつ少なくとも２００℃の温度で蒸発させる、請求項２記載の方法。
【請求項４】
加熱管ＨＲの内径が１００〜６０００μｍであり、かつ該加熱管ＨＲの最狭間隔が最大で３ｍｍである、請求項１から３までのいずれか１項記載の方法。
【請求項５】
接触脱水を３５０〜６５０℃の温度で行う、請求項２記載の方法。
【請求項６】
接触脱水を７０ミリバール〜５バール絶対圧の圧力で行う、請求項２記載の方法。
【請求項７】
脱水を６００ミリバール〜１．５バール絶対圧の圧力で行う、請求項６記載の方法。
【請求項８】
接触脱水を管式反応器、有利には多管式反応器内で行う、請求項２から７までのいずれか１項記載の方法。
【請求項９】
接触脱水を、酸化アルミニウムと場合により酸化ケイ素とからなる高度に焼結された成形体及びクロム−ニッケル−特殊鋼成形体から選択された成形体の存在で、又は、触媒としての多孔質担体材料上の鋼又は酸化鉄からの充填物の存在で行い、かつ／又は、該管式反応器の内側の反応器表面が鋼からなっておりかつ触媒として作用する、請求項２から８までのいずれか１項記載の方法。
【請求項１０】
接触脱水を酸素の存在で行う、請求項２から９までのいずれか１項記載の方法。
【請求項１１】
接触脱水を０．１〜１００ｋｇ／ｍ2の面積比ホルムアミド負荷で層流の範囲内で行う、請求項８から１０までのいずれか１項記載の方法。
【請求項１２】
請求項１から１１までのいずれか１項記載の方法において使用するための蒸発器（１室型蒸発器）において、該蒸発器が実質的に容器であり、かつ該容器中に加熱管ＨＲを有しており、該加熱管ＨＲは、有利には相互にかつ該蒸発器の縦軸に対して平行に延在しており、その際、該容器は有利には１つの室Ｒのみからなっており、その際さらに、
ａ）該室Ｒに対する該加熱管ＨＲの外部面積が少なくとも３００ｍ2／ｍ3であり、
ｂ）該室Ｒの水力直径が０．０１〜１ｍであり、
ｃ）該室が０．１〜５ｍの長さを有している
ことを特徴とする蒸発器。
【請求項１３】
ホルムアミドから青酸を製造するための方法においてホルムアミドを蒸発させるための、１室型蒸発器を使用する方法。
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
コンベアが特定の物理的位置にあると判断するステップと、
前記コンベアが前記特定の物理的位置にあるとの判断に基づいて、前記コンベアから少なくとも１つの光学パラメータに関するデータを収集するステップであって、前記少なくとも１つの光学パラメータは、前記コンベアの部分の少なくとも１つの色組成、又は前記コンベアの部分のグレースケール強度を含む、収集するステップと、
前記収集したデータを前記少なくとも１つの光学パラメータに関する基準データと比較するステップと、
その比較に基づいて前記コンベアが清掃を必要とするか否かを判断するステップと、
を含む、
方法。
【請求項２】
さらに、特定の時間量が経過したと判断するステップを含み、
データを収集するステップが、前記特定の時間量が経過したという判断に基づいてデータを収集するステップを含む、
請求項１に記載の方法。
【請求項３】
前記コンベアが前記特定の物理的位置にあると判断するステップが、前記コンベアの２つのリンク同士の間の開口を感知するステップを含む、
請求項１に記載の方法。
【請求項４】
前記コンベアが前記特定の物理的位置にあると判断するステップが、前記コンベアが特定の距離を回転したと判断するステップを含む、
請求項１に記載の方法。
【請求項５】
さらに、前記コンベアが清掃を必要とするという判断に基づいて清掃システムを起動するステップまたは使用者に警告を発するステップのうちの少なくとも１つを含む、
請求項１に記載の方法。
【請求項６】
さらに、
データの収集に基づいてデータ収集カウンタを増加させるステップと、
前記データ収集カウンタが特定の閾値に達したと判断するステップと、
前記データ収集カウンタが前記特定の閾値に達したという判断に基づいて、少なくとも２組のデータに関する基準値に基づく平均値、最大値、最小値または範囲値のうちの少なくとも１つを判断するステップと、
を含み、
前記基準値に基づいて前記コンベアが清掃を必要とすると判断するステップが、前記平均値、最大値、最小値または範囲値のうちの少なくとも１つに基づいて、前記コンベアが清掃を必要とすると判断するステップを含む、
請求項１に記載の方法。
【請求項７】
コンベアから少なくとも１つの光学パラメータに関する光学データを、前記コンベアが特定の物理的位置にあるとの判断に基づいて収集する検出器であって、前記少なくとも１つの光学パラメータは、前記コンベアの部分の少なくとも１つの色組成、又は前記コンベアの部分のグレースケール強度を含む、検出器と、
前記少なくとも１つの光学パラメータに関する基準データを記憶するメモリと、
前記コンベアが前記特定の物理的位置にあるときを判断し、前記光学データを前記基準データと比較し、かつその比較に基づいて前記コンベアが清掃を必要とするか否かを判断するコントローラと、
を備える、
システム。
【請求項８】
さらに、前記コンベアの物理的位置に関するセンサデータを収集するセンサを備え、
前記コントローラは、前記センサデータに基づいて、前記コンベアが前記特定の物理的位置にあるときを判断する、
請求項７に記載のシステム。
【請求項９】
前記センサが、誘電性センサ、容量性センサ、光学センサまたは計時センサのうちの少なくとも１つを備える、
請求項８に記載のシステム。
【請求項１０】
前記センサがＲＧＢセンサまたはグレースケールセンサのうちの１つを備える、
請求項８に記載のシステム。
【請求項１１】
コンベアから少なくとも１つの光学パラメータに関する光学データを、前記コンベアが特定の物理的位置にあるとの判断に基づいて収集するように構成された検出器と、
前記少なくとも１つの光学パラメータに関する基準データを記憶するメモリと、
前記コンベアの物理的位置に関するデータを収集するように構成されたセンサと、
前記センサによって収集されたデータに基づいて前記コンベアが前記特定の物理的位置にあると判断し、前記コンベアが前記特定の物理的位置にあるとの判断に基づいて前記光学データを収集する検出器を制御し、前記収集した光学データを前記基準データと比較し、かつその比較に基づいて前記コンベアが清掃を必要とするか否かを判断するコントローラと、
を備える、
システム。
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
式（ＩＩ）で表され、式中Ｒ１、Ｒ２およびＲ３が各々異なっていても同一であってもよく、水素、Ｃ１〜Ｃ４炭素原子のアルキル、Ｃ１〜Ｃ４炭素原子のアルコキシからなる群から選択される化合物。
【化１】
2013518093.tif 000001
【請求項２】
式（ＩＩ’）
【化２】
2013518093.tif 000002
で表される化合物。
【請求項３】
式（ＩＩ’’）
【化３】
2013518093.tif 000003
で表される化合物。
【請求項４】
式ＩＩで表される化合物の製造方法であって、式（ＩＩＩ）で表されるラパマイシンを式（ＩＶ）で表される化合物で処理することを含み、式中Ｒ１、Ｒ２およびＲ３が各々異なっていても同一であってもよく、水素、Ｃ１〜Ｃ４炭素原子のアルキル、Ｃ１〜Ｃ４炭素原子のアルコキシからなる群から選択される、前記方法。
【化４】
2013518093.tif 000004
【化５】
2013518093.tif 000005
【化６】
2013518093.tif 000006
【請求項５】
ラパマイシンの式（ＩＶ）で表される化合物との反応を、塩化エチレン、塩化メチレン、四塩化炭素およびその混合物から選択されたハロゲン化炭化水素からなる群から選択された適切な溶媒の存在下で行う、請求項４に記載の方法。
【請求項６】
ラパマイシンの式（ＩＶ）で表される化合物との反応を、触媒量のジメチルアミノピリジンまたは４−ピロリジノピリジンの存在下で行う、請求項４に記載の方法。
【請求項７】
ラパマイシンの式（ＩＶ）で表される化合物との反応を、−２０℃〜室温の温度範囲にて行う、請求項４に記載の方法。
【請求項８】
ラパマイシンの式（ＩＶ）で表される化合物との反応を、６〜２４時間行う、請求項４に記載の方法。
【請求項９】
テムシロリムスの製造方法であって、式（ＩＩ）
【化７】
2013518093.tif 000007
式中Ｒ１、Ｒ２およびＲ３が各々異なっていても同一であってもよく、水素、Ｃ１〜Ｃ４炭素原子のアルキル、Ｃ１〜Ｃ４炭素原子のアルコキシからなる群から選択される、
で表される化合物を式（Ｉ）
【化８】
2013518093.tif 000008
で表されるテムシロリムスに変換することを含む、前記方法。
【請求項１０】
式（ＩＩ）で表される化合物のテムシロリムスへの変換を、硫酸、塩酸およびその混合物からなる群から選択された酸の存在下で行う、請求項９に記載の方法。
【請求項１１】
式（ＩＩ）で表される化合物のテムシロリムスへの変換を、メタノール、エタノール、プロパノール、ブタノールおよびその混合物から選択されたアルコール；テトラヒドロフラン、ジオキサンおよびその混合物から選択されたエーテルからなる群から選択された適切な溶媒の存在下で行う、請求項９に記載の方法。
【請求項１２】
式（ＩＩ）で表される化合物のテムシロリムスへの変換を、−２０℃〜室温の温度範囲にて行う、請求項９に記載の方法。
【請求項１３】
式（ＩＩ）で表される化合物のテムシロリムスへの変換を、６〜２４時間行う、請求項９に記載の方法。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
a）SEQ ID NO: 2のアミノ酸配列を含む免疫グロブリン重鎖およびSEQ ID NO: 4のアミノ酸配列を含む免疫グロブリン軽鎖を含むマウスモノクローナル抗体HH1、
b）キレート化リンカー、ならびに
c）177Lu、212Pb、225Ac、227Th、および90Yからなる群より選択される放射性核種
を含む、ヒトCD37に結合する放射免疫コンジュゲート。
【請求項２】
放射性核種が177Luである、請求項1記載の放射免疫コンジュゲート。
【請求項３】
請求項1記載の放射免疫コンジュゲートと、薬学的に許容される担体とを含む、薬学的組成物。
【請求項４】
1つまたは複数の追加の抗体または放射免疫コンジュゲートをさらに含む、請求項3記載の薬学的組成物。
【請求項５】
1つまたは複数の追加の抗体または放射免疫コンジュゲートがCD20に対して特異的である、請求項4記載の薬学的組成物。
【請求項６】
B細胞悪性腫瘍の抑制を必要とする対象に、請求項1記載の放射免疫コンジュゲートを提供することを含む、B細胞悪性腫瘍を抑制する方法。
【請求項７】
対象が、非ホジキンリンパ腫または慢性リンパ球性白血病を有する、請求項6記載の方法。
【請求項８】
放射免疫コンジュゲートが、他の治療と組み合わせて、または他の治療に加えて投与される、請求項6記載の方法。
【請求項９】
治療が、化学療法、モノクローナル抗体療法、手術、放射線療法、および光力学療法またはこれらの組み合わせからなる群より選択される、請求項8記載の方法。
【請求項１０】
治療が、放射免疫コンジュゲートによる処置の前に、抗CD20モノクローナル抗体および／または抗CD37モノクローナル抗体の投与を含む、請求項8記載の方法。
【請求項１１】
1つのバイアルがSEQ ID NO: 2のアミノ酸配列を含む免疫グロブリン重鎖およびSEQ ID NO: 4のアミノ酸配列を含む免疫グロブリン軽鎖を含むマウスモノクローナル抗体HH1に連結されたキレート化剤を含むコンジュゲートを含有し、第二のバイアルが放射性核種を含有する、2つまたはそれより多くのバイアルを含む、請求項1記載の放射免疫コンジュゲートを産生するためのキット。
【請求項１２】
1つまたはいくつかのバイアルの内容物が、凍結乾燥されているかまたは溶液であるかのいずれかである、請求項11記載のキット。
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
式(I)
【化１】
2013518090.tif 000001
[式中、
Xaa2は、Pro及びGlyからなる群から選択され、
Xaa4は、Arg、His、Lys及びOrnからなる群から選択され、
Xaa6は、Asp、Glu、His、Lys、Ser、Thr及びValからなる群から選択され、
Xaa16は、Asn、Asp、Gln及びGluからなる群から選択され、
Xaa17は、Ile、Leu及びValからなる群から選択され、
Xaa18は、Ala、Asn、Asp及びValからなる群から選択され、
Xaa19は、Arg及びHisからなる群から選択され、
Xaa21は、His、Phe、Trp及びTyrからなる群から選択され、
Xaa22は、Ala、Ile、Leu及びValからなる群から選択され、
Xaa25は、Arg、Gln及びHisからなる群から選択され、
Xaa30は、Arg、His、Leu及びLysからなる群から選択される]
で表されるアミノ酸配列を含むPYYの類似体、又はそれらの変形体及び/若しくは誘導体である化合物、或いはこのような変形体及び/又は誘導体の塩並びにこのような変形体及び/若しくは誘導体及び/又は塩の溶媒和物を包含する、それらの塩及び/又は溶媒和物であって、変形体が、Xaa4、Xaa6、Xaa16、Xaa17、Xaa18、Xaa19、Xaa21、Xaa22、Xaa25及びXaa30以外の2つ以下のアミノ酸が異なるアミノ酸で置き換えられているアミノ酸配列である、PYYの類似体。
【請求項２】
少なくとも2つのヒスチジン残基を含む、請求項1に記載のPYYの類似体。
【請求項３】
Xaa16がGluである、請求項1または2に記載のPYYの類似体。
【請求項４】
Xaa25がArgである、請求項3に記載のPYYの類似体。
【請求項５】
Xaa2がProであり、
Xaa4がLysであり、
Xaa6が、Glu及びSerからなる群から選択され、
Xaa17がLeuであり、
Xaa18がAsnであり、
Xaa21がTyrであり、
Xaa22がAlaであり、
Xaa30がHis、Leu及びLysからなる群から選択される、
請求項1から4のいずれか一項に記載のPYYの類似体。
【請求項６】
Xaa2がProであり、
Xaa4がHisであり、
Xaa6がHisであり、
Xaa17がLeuであり、
Xaa18がAsnであり、
Xaa21がTyrであり、
Xaa22がAlaであり、
Xaa30がHisである、
請求項1から4のいずれか一項に記載のPYYの類似体。
【請求項７】
Xaa19がHisである、請求項5又は6に記載のPYYの類似体。
【請求項８】
Xaa30がHisである、請求項7に記載のPYYの類似体。
【請求項９】
Xaa6がGluである、請求項8に記載のPYYの類似体。
【請求項１０】
アミド化、グリコシル化、カルバミル化、アシル化、硫酸化、リン酸化、環化、脂質化、ペグ化、及び融合タンパク質を形成するための別のペプチドへの融合化からなる群から選択される1つ又は複数の方法によって修飾された誘導体である、請求項1から9のいずれか一項に記載のPYYの類似体。
【請求項１１】
組換え法によってまたは合成法によって製造される融合タンパク質である誘導体である、請求項3に記載のPYY類似体。
【請求項１２】
医薬品として使用するための、請求項1から11のいずれか一項に記載のPYYの類似体。
【請求項１３】
請求項1から11のいずれか一項に記載のPYYの類似体を、医薬として許容される担体及び任意選択で他の治療成分と共に含む、医薬組成物。
【請求項１４】
ヒトに皮下投与するための注射器又は他の投与装置中に存在する、請求項13に記載の医薬組成物。
【請求項１５】
請求項1から11のいずれか一項に記載のPYYの類似体又は請求項13若しくは14に記載の医薬組成物の皮下投与を含む、疾病若しくは障害又は他の望ましくない生理的状態の治療又は予防方法。
【請求項１６】
肥満又は糖尿病の治療に使用するための、請求項1から11のいずれか一項に記載のPYYの類似体又は請求項13若しくは14に記載の医薬組成物。
【請求項１７】
対象の食欲の減少に使用するための、対象の食物摂取量の減少に使用するための又は対象のカロリー摂取量の減少に使用するための、請求項1から11のいずれか一項に記載のPYYの類似体又は請求項13若しくは14に記載の医薬組成物。
【請求項１８】
請求項1から11のいずれか一項に記載のPYYの類似体又は請求項13若しくは14に記載の医薬組成物を対象に投与する工程を含む、肥満又は糖尿病の治療を必要としている対象の肥満又は糖尿病の治療方法。
【請求項１９】
対象が過体重、肥満および/または糖尿病である、請求項18に記載の方法。
【請求項２０】
化合物を非経口投与、皮下投与、静脈内投与、筋肉内投与、鼻腔内投与、経皮投与又は舌下投与する、請求項18または19に記載の方法。
【請求項２１】
肥満又は糖尿病を治療するための医薬品を製造するための、請求項1から11のいずれか一項に記載のPYYの類似体の使用。
【請求項２２】
対象の食欲の減少のための、対象の食物摂取量の減少のための、又は対象のカロリー摂取量の減少のための医薬品を製造するための、請求項1から11のいずれか一項に記載のPYYの類似体の使用。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
ダンネージシステムであって、上記ダンネージシステムは、収納素材を受ける容器を備え、
上記容器は、移動可能フラップが上記容器の開放側を少なくとも部分的に閉じる閉鎖位置と、上記閉鎖位置から外方に離れた動作位置との間で移動可能な、少なくとも一つの移動可能フラップを有し、
上記移動可能フラップが上記動作位置にあるとき、上記移動可能フラップは、上記容器の開放側の対応する寸法よりも小さい少なくとも一つの寸法を有する出口開口部の側面を規定することを特徴とするダンネージシステム。
【請求項２】
上記容器は、シート状の収納素材の補給品を含むようなサイズであり、
上記容器は、底壁と、底壁の各端から延びて、底壁とは反対側の開放側を有する、囲われた空間を規定する一つまたはそれより多い側壁と、側壁の底壁とは反対側の各端から延びる複数のフラップとを備え、
上記フラップは、上記出口開口部から離れた側壁の最上部において相対的に大きい入り口を有する集中シュートを規定し、上記出口開口部は入り口より相対的に小さく、
上記動作位置では、上記フラップは、上記出口開口部を通して上記容器から引き出されるシート状の収納素材を内方に集めてしわくちゃにすることを特徴とする請求項１に記載のダンネージシステム。
【請求項３】
動作位置では、フラップの遠心端が出口開口部を規定し、出口開口部は、容器の開放側の対応する寸法より小さい少なくとも一つの寸法を有し、
動作位置では、フラップは、出口開口部を通して容器から引き出されるシート状の収納素材を内方に集めてしわくちゃにすることを特徴とする請求項１または２に記載のダンネージシステム。
【請求項４】
動作位置でフラップを固定する手段を備えたことを特徴とする請求項２または３に記載のダンネージシステム。
【請求項５】
フラップが動作位置を超えて移動するのを防ぐ手段を備えたことを特徴とする請求項１から４のいずれか１項に記載のダンネージシステム。
【請求項６】
動作位置で各フラップが、隣接するフラップと結合することを特徴とする請求項２から５のいずれか１項に記載のダンネージシステム。
【請求項７】
一つのフラップがツメ部を有し、他の一つのフラップが、上記ツメ部を受けるような大きさのスロットを有していることを特徴とする請求項２から６のいずれか１項に記載のダンネージシステム。
【請求項８】
スロット部がツメ部より実質的に長く、
それによって、ツメ部をスロット部から取り外すことなく、フラップが、実質的に平坦な閉鎖位置と、動作位置との間で、移動できることを特徴とする請求項７に記載のダンネージシステム。
【請求項９】
容器の側壁は、底壁に垂直であり、
フラップが閉鎖位置にあるとき、フラップは、側壁に垂直であることを特徴とする請求項２から８のいずれか１項に記載のダンネージシステム。
【請求項１０】
出口開口部は移動可能のフラップの遠心端により規定され、容器の開放側の開口部から出口開口部を離していることを特徴とする請求項１から９のいずれか１項に記載のダンネージシステム。
【請求項１１】
動作位置で、フラップが、傾斜した集中壁を規定することを特徴とする請求項１から１０のいずれか１項に記載のダンネージシステム。
【請求項１２】
２つまたはそれより多いフラップが、フラップの２対を有し、
各フラップが、隣接壁に垂直な各壁から延び、
フラップの各対が、平行壁から延びることを特徴とする請求項１から１１のいずれか１項に記載のダンネージシステム。
【請求項１３】
閉鎖位置で、フラップは互いに実質的に平行に延びることを特徴とする請求項１から１２のいずれか１項に記載のダンネージシステム。
【請求項１４】
少なくとも一つのフラップは、ツメが延びて他のフラップのスロットで受け止められるようなテーパー形状を有することを特徴とする請求項１から１３のいずれか１項に記載のダンネージシステム。
【請求項１５】
少なくとも一つのフラップは、フラップが動作位置にあるときに他のフラップのツメ部を受けて保持するような非直線のスロットを有することを特徴とする請求項１から１４のいずれか１項に記載のダンネージシステム。
【請求項１６】
各フラップは、実質的に平坦な形状を有することを特徴とする請求項１から１５のいずれか１項に記載のダンネージシステム。
【請求項１７】
動作位置への移動中に、移動可能のフラップが、出口開口部の少なくとも一つの寸法を増加させることを特徴とする請求項１から１６のいずれか１項に記載のダンネージシステム。
【請求項１８】
容器が、
互いに対し相互に連結可能な複数のフラップであって、容器の開放側から出口開口部に向かってテーパー状の構造を形成する、フラップを有することを特徴とする請求項１から１７のいずれか１項に記載のダンネージシステム。
【請求項１９】
容器の内部にシート状の収納素材の補給品を備え、
シート状の収納素材が幅寸法を有し、
容器が、収納素材の幅寸法と実質的に同じ幅寸法を有し、
容器がさらに、実質的に平坦な閉鎖位置で２つまたはそれより多いフラップによって閉じられた開放側を有し、
フラップが互いに結合され、
フラップは、
フラップが閉鎖位置から離れて、容器の開放側から離れた出口開口部を形成し、そこを通してしわくちゃの収納素材を分配するような、動作位置に移動可能であり、
開口部は、容器の幅寸法より小さい幅寸法を有することを特徴とする請求項１から１８のいずれか１項に記載のダンネージシステム。
【請求項２０】
シート状の収納素材の補給品は、シート状の収納素材の、扇のように折り畳んだ積層物、または、ロールのうちの少なくとも一つを有していることを特徴とする請求項１から１９のいずれか１項に記載のダンネージシステム。
【請求項２１】
補給品は、分配出口と一直線の縦軸を有する、シート状の収納素材のロールを有することを特徴とする請求項１から２０のいずれか１項に記載のダンネージシステム。
【請求項２２】
開放側から離れたスロットを備え、
上記スロットは、容器の幅寸法に実質的に平行に延び、しわくちゃでない収納素材を引き抜くことを特徴とする請求項１から２１のいずれか１項に記載のダンネージシステム。
【手続補正２】
【補正対象書類名】明細書
【補正対象項目名】００８４
【補正方法】削除
【補正の内容】
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
酸化物に基づく重量百分率で前記酸化物の合計１００％に対して、
ＺｒＯ２＋Ｈｆ２Ｏ：１００％までの補完分
４．０％＜ＳｉＯ２＜６．５％
Ａｌ２Ｏ３≦０．７５％
０．２％＜Ｂ２Ｏ３＜１．５％
０．３％＜Ｔａ２Ｏ５
Ｎｂ２Ｏ５＋Ｔａ２Ｏ５＜１．４％
Ｎａ２Ｏ＋Ｋ２Ｏ＜０．２％
ＢａＯ＜０．２％
Ｐ２Ｏ５＜０．１５％
Ｆｅ２Ｏ３＋ＴｉＯ２＜０．５５％
他の酸化物種：＜１．５％
を含む溶融鋳造耐火製品であって、Ａｌ２Ｏ３／Ｂ２Ｏ３の重量含有量の比Ａ／Ｂが１．５０未満である、溶融鋳造耐火製品。
【請求項２】
前記比Ａ／Ｂが１．４０未満である、請求項１に記載の製品。
【請求項３】
Ｎｂ２Ｏ５＋Ｔａ２Ｏ５＞０．５％である、請求項１または２に記載の製品。
【請求項４】
Ｎｂ２Ｏ５＋Ｔａ２Ｏ５＜１．２％である、請求項１〜３のいずれか一項に記載の製品。
【請求項５】
シリカＳｉＯ２の重量含有量が６．０％未満である、請求項１〜４のいずれか一項に記載の製品。
【請求項６】
シリカＳｉＯ２の重量含有量が４．５％超である、請求項１〜５のいずれか一項に記載の製品。
【請求項７】
シリカＳｉＯ２の重量含有量が４．８％超である、請求項１〜６のいずれか一項に記載の製品。
【請求項８】
Ｂ２Ｏ３の重量含有量が１．０％未満である、請求項１〜７のいずれか一項に記載の製品。
【請求項９】
Ａｌ２Ｏ３の重量含有量が０．７％未満である、請求項１〜８のいずれか一項に記載の製品。
【請求項１０】
Ａｌ２Ｏ３の重量含有量が０．６％未満である、請求項１〜９のいずれか一項に記載の製品。
【請求項１１】
Ｎａ２Ｏ＋Ｋ２Ｏの重量含有量が０．１％未満である、請求項１〜１０のいずれか一項に記載の製品。
【請求項１２】
前記酸化物に基づく重量百分率で、
９２．０％＜ＺｒＯ２＋Ｈｆ２Ｏ＜９４．７％
４．５％＜ＳｉＯ２＜６．５％
Ａｌ２Ｏ３＜０．７％
０．３％＜Ｂ２Ｏ３＜０．６％
０．５％＜Ｔａ２Ｏ５
Ｎｂ２Ｏ５＋Ｔａ２Ｏ５＜１．４％
Ｎａ２Ｏ＋Ｋ２Ｏ＜０．０５％
ＣａＯ＋ＳｒＯ＋ＭｇＯ＋ＺｎＯ＋ＢａＯ＜０．２％
ＺｒＯ２、Ｈｆ２Ｏ、ＳｉＯ２、Ａｌ２Ｏ３、Ｂ２Ｏ３、Ｔａ２Ｏ５、Ｎａ２Ｏ、Ｋ２Ｏ、ＣａＯ、ＳｒＯ、ＭｇＯ、ＺｎＯおよびＢａＯ以外の酸化物種；１００％までの補完分、
を含み、Ａｌ２Ｏ３／Ｂ２Ｏ３の重量含有量の比Ａ／Ｂが１．２以下である、請求項１〜１１のいずれか一項に記載の製品。
【請求項１３】
Ｙ２Ｏ３の重量含有量が０．２５％未満である、請求項１〜１２のいずれか一項に記載の製品。
【請求項１４】
鉄および／またはチタンの酸化物の重量含有量Ｆｅ２Ｏ３＋ＴｉＯ２が０．４％未満であり、Ｐ２Ｏ５の重量含有量が０．０５％未満であり、カルシウムおよび／またはストロンチウムおよび／またはバリウムおよび／またはマグネシウムおよび／または亜鉛の酸化物の合計重量含有量ＣａＯ＋ＳｒＯ＋ＢａＯ＋ＭｇＯ＋ＺｎＯが０．３％未満であり、他の酸化物種の合計重量含有量が０．６％未満である、請求項１〜１３のいずれか一項に記載の製品。
【請求項１５】
溶解ガラスと接触するよう意図された領域内に請求項１〜１４のいずれか一項に記載の製品を含むガラス溶解炉。
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
以下の方法段階
（ａ）  互いに接続されている孔を有する、無機材料のマトリックス製のモノリス状テンプレートを製造する段階、
（ｂ）  該テンプレートの孔に、炭素または炭素前駆体物質を浸透させて、マトリックス材料で取り囲まれた炭素含有グリーン体骨格を形成する段階、および
（ｃ）  該グリーン体骨格をか焼して、多孔質炭素製品を形成する段階
を含む多孔質炭素製品の製造方法であって、テンプレートの製造がスート堆積プロセスを含み、その際、マトリックス材料の加水分解性または酸化性の出発化合物を反応ゾーンに供給し、該反応ゾーン内で、加水分解または熱分解によってマトリックス材料粒子に変換し、該マトリックス材料粒子をアグロメレート化またはアグリゲート化し、且つ、テンプレートに成形することを特徴とする、製造方法。
【請求項２】
スート堆積プロセスを用いて、階層的な孔構造を有するマトリックス材料の異方性の物質分布を生じさせることを特徴とする、請求項１に記載の方法。
【請求項３】
スート堆積プロセスが、反応ゾーンに対して相対的に運動している支持体にマトリックス材料粒子を層状に堆積させて、スート体を形成することを含むことを特徴とする、請求項１または２に記載の方法。
【請求項４】
マトリックス材料粒子を、縦軸周りで回転する長形の支持体のシリンダー外装面に堆積して、中空シリンダーのスート体を形成することを特徴とする、請求項３に記載の方法。
【請求項５】
１０μｍ〜２００μｍの範囲の平均厚さを有するスート層が堆積されることを特徴とする、請求項３または４に記載の方法。
【請求項６】
炭素製品が、多孔質の炭素薄片の形で生じることを特徴とする、請求項１から５までのいずれか１項に記載の方法。
【請求項７】
マトリックス材料の理論比密度の１０％〜２５％の範囲の平均相対密度を有するテンプレートが製造されることを特徴とする、請求項１から６までのいずれか１項に記載の方法。
【請求項８】
無機のマトリックス材料が、方法段階（ｃ）によるか焼後に除去されることを特徴とする、請求項１から７までのいずれか１項に記載の方法。
【請求項９】
マトリックス材料が酸化物原料であり、且つ、炭素製品およびマトリックス材料の少なくとも一部が、リチウムイオン電池用電極の製造のための出発材料として使用されることを特徴とする、請求項１から７までのいずれか１項に記載の方法。
【請求項１０】
炭素製品が、多孔質粒子からの微細に分割された炭素へと細分されることを特徴とする、請求項１から９までのいずれか１項に記載の方法。
【請求項１１】
マトリックス材料がＳｉＯ2であることを特徴とする、請求項１から１０までのいずれか１項に記載の方法。
【請求項１２】
多孔質の炭素薄片の形で存在することを特徴とする、階層的な孔構造を有する多孔質炭素を含有する炭素製品。
【請求項１３】
炭素薄片が、１０μｍ〜２００μｍの範囲の平均層厚を有する層構造を有することを特徴とする、請求項１２に記載の炭素製品。
【請求項１４】
多孔質炭素製の製品の製造のためのテンプレートとしてのＳｉＯ2スート体の使用。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
ルツボアセンブリを含む方向性凝固炉であって：
該ルツボアセンブリが：
溶融物を収容するためのルツボであって、壁と、開口を有する底とを含んでおり、開口が底を通り抜けて延在しているルツボ；
ルツボを支持するルツボ支持体、
ルツボを覆う蓋；および
底の開口の中に収められるプレートであって、底の厚さに等しい厚さを有し、かつ、底の熱伝導率よりも高い熱伝導率を有するプレート
を含む方向性凝固炉。
【請求項２】
開口が、第１角度の傾斜壁を有し、およびプレートが、第１角度に対して補完的な第２角度の傾斜壁を有する、請求項１に記載の方向性凝固炉。
【請求項３】
開口が、４つの側面を有する底のボイドにより規定されており、底の部分が、レッジ構造を形成するように側面から内側に延在している、請求項１に記載の方向性凝固炉。
【請求項４】
プレートが、結合剤により底に固定されている、請求項１〜３のいずれかに記載の方向性凝固炉。
【請求項５】
プレートが、底の熱伝導率の少なくとも２倍の熱伝導率を有する、請求項１〜４のいずれかに記載の方向性凝固炉。
【請求項６】
ルツボ支持体の底の下に配置されている熱交換体を更に含む、請求項１〜５のいずれかに記載の方向性凝固炉。 
【請求項７】
ルツボ支持体が、グラファイトから作られている、請求項１〜６のいずれかに記載の方向性凝固炉。
【請求項８】
ルツボ支持体のまわりに取り外し可能に配置されている１以上の移動可能な加熱器を更に含む、請求項１〜７のいずれかに記載の方向性凝固炉。
【請求項９】
ルツボのまわりに配置されている取り外し可能な断熱体を更に含む、請求項１〜８のいずれかに記載の方向性凝固炉。 
【請求項１０】
ルツボ壁が、液体溶融物を収容するように一体に結合された４つの壁を含んでいる、請求項１〜９のいずれかに記載の方向性凝固炉。
【請求項１１】
請求項１〜１０のいずれかに記載の方向性凝固炉におけるインゴットの製造方法であって：
炉のルツボ内のシリコン充填物を溶融して液体溶融物を形成し；および
溶融物から熱を移動し、熱が、底と比較して更に増加した速度で、プレートを通して移動する、
ことを含み、
溶融物からの熱移動が、溶融物の凝固およびインゴットの製造をもたらす、
インゴットの製造方法。
【請求項１２】
シリコン充填物を溶融する前に、シリコン充填物をルツボに充填することを更に含む、請求項１１に記載の方法。 
【請求項１３】
底の熱伝導率の少なくとも２倍の熱伝導率を有するプレートを通って、熱を移動する、請求項１１または１２に記載の方法。